(57)【要約】【課題】脚絆を装備しなくとも容易に作業ズボンを絞り、かつ絞った状態を維持することを実現した脚絆機能付き作業ズボンを提供する。【解決手段】スライダ１４を下ろし、一対の務歯列１２ａ、１２ｂを噛み合わせることによって裾口を絞り込むスライドファスナ１０を有する作業ズボン１において、スライダ１４に、作業ズボン１を着用した作業員が履いている履き物に連結するクリップ部材２４を有するストラップ２０を取り付けたものである。【選択図】図１
2012172290.tif 000002
【特許請求の範囲】
【請求項１】
スライダを下ろし、一対の務歯列を噛み合わせることによって裾口を絞り込むスライドファスナを有する作業ズボンにおいて、
前記スライダに、当該作業ズボンを着用した作業員が履いている履き物に連結する連結手段を設けたことを特徴とする脚絆機能付き作業ズボン。
【請求項２】
前記一対の務歯列は、前記裾口の上部の所定部位から、前記裾口に向かって拡がるように取り付けられており、
前記スライダを下ろした際に、前記一対の務歯列が連結することによって前記作業ズボンの内側に形成された略三角形の折り畳み部を、作業員の脛の前に位置付けた状態で保持する保持手段を備えたことを特徴とする請求項１記載の脚絆機能付き作業ズボン。
【請求項３】
前記連結手段は、作業員が履いている履き物の一部に挟み付ける挟持部と、前記スライダに一端が固定され、前記挟持部に他端が固定される伸縮部材とからなることを特徴とする請求項１又は２記載の脚絆機能付き作業ズボン。
【請求項４】
前記スライドファスナは、前記作業ズボンの一対の脚部にそれぞれ複数取り付けたことを特徴とする請求項１記載の脚絆機能付き作業ズボン。
【請求項５】
前記スライドファスナは、２組取り付けられており、
２組の前記スライドファスナの前記スライダに取り付けられている前記連結手段は、前記スライダを下ろした状態において、作業員の足首の両側部に位置することを特徴とする請求項４記載の脚絆機能付き作業ズボン。
【発明の詳細な説明】
【技術分野】
【０００１】
本発明は、脚絆機能付き作業ズボンに関する。
【背景技術】
【０００２】
従来、各種の作業を行う際に、作業ズボンの裾の乱れが作業の妨げとなる場合がある。このため、作業場によっては、脛部分に脚絆を取り付けて作業ズボンの裾が乱れないようにすることが義務付けられている場合がある。
【０００３】
また、従来、特許文献１に示すように、作業ズボンにファスナを取り付け、ファスナを下ろすことによって裾口を絞るものが提案されている。
【先行技術文献】
【特許文献】
【０００４】
【特許文献１】特開２−１３１５１３号公報
【発明の概要】
【発明が解決しようとする課題】
【０００５】
ところで、作業現場へ行く場合に、その作業現場においては、脚絆を着けることが義務付けられていれば、作業員は脚絆を装備する必要がある。しかし、脚絆の着け外しは、作業員にとって面倒な作業であり、特に、作業現場で作業する技術系作業員以外の作業員、例えば、事務系作業員にとっては、着け方が分からない場合がある。
【０００６】
そこで、特許文献１に示す技術のように、作業ズボンにファスナを取り付けることにより、ファスナを閉じることによって容易に裾口が絞られ、作業ズボンの裾が乱れないようにすることが可能となる。
【０００７】
ここで、ファスナを閉じることによって裾口を絞る機能を有する作業ズボンにおいては、裾口が小さい方が作業ズボンの裾の乱れを抑えることに有利である。しかしながら、例えば、足首付近で裾口が絞られている場合に、作業中においてしゃがんだり立ち上がったりすると、裾口が脚に沿って上下する。この時に、スライダが上がってファスナが開くことにより、裾口が再び開いてしまうおそれがある。
【０００８】
本発明は、このような問題点を解決し、脚絆を装備しなくとも容易に作業ズボンの裾を絞り、かつ裾を絞った状態で維持することを実現した脚絆機能付き作業ズボンを提供することを目的とする。
【課題を解決するための手段】
【０００９】
前記目的を達成するため、本発明は、次に記載する構成を備えている。
【００１０】
（１）  スライダを下ろし、一対の務歯列を噛み合わせることによって裾口を絞り込むスライドファスナを有する作業ズボンにおいて、前記スライダに、当該作業ズボンを着用した作業員が履いている履き物に連結する連結手段を設けたことを特徴とする脚絆機能付き作業ズボン。
【００１１】
（１）によれば、スライドファスナのスライダを下ろすことによって作業ズボンの裾口が絞り込まれるため、作業ズボンの裾が乱れないようにすることが可能となり、作業ズボンに脚絆機能を持たせることが可能になる。さらに、スライダが連結手段を介して作業員が履いている履き物（例えば、作業靴）に連結することが可能であるため、スライダが上方に移動して、スライドファスナが開いてしまうことが防止できる。これにより、ズボンの裾口を絞った状態で維持することが可能になる。
【００１２】
（２）  （１）において、前記一対の務歯列は、前記作業ズボンに前記裾口の上部の所定部位から、前記裾口に向かって拡がるように取り付けられており、前記スライダを下ろした際に、前記一対の務歯列が連結することによって前記作業ズボンの内側に形成された略三角形の折り畳み部を、作業員の脛の前に位置付けた状態で保持する保持手段を備えたことを特徴とする脚絆機能付き作業ズボン。
【００１３】
（２）によれば、スライダを下ろしてスライドファスナを閉じた際に、作業ズボンの内側に形成された略三角形の折り畳み部が、作業員の脛の前に位置付けられるため、作業員の脛を保護することが可能になる。
【００１４】
（３）  （１）又は（２）において、前記連結手段は、作業員が履いている履き物の一部に挟み付ける挟持部と、前記スライダに一端が固定され、前記挟持部に他端が固定される伸縮部材とからなることを特徴とする脚絆機能付き作業ズボン。
【００１５】
（３）によれば、作業員が立ったりしゃがんだりした場合、作業員が履いている履き物と裾との距離が変化するが、この距離の変化に応じて伸縮部材が伸縮することにより、連結手段による履き物と裾との連結状態が維持される。
【００１６】
（４）  （１）において、前記スライドファスナは、前記作業ズボンの一対の脚部にそれぞれ複数取り付けたことを特徴とする脚絆機能付き作業ズボン。
【００１７】
（４）によれば、スライダを下ろすスライドファスナの数によって、裾口の絞り量が調整可能になる。
【００１８】
（５）  （４）において、前記スライドファスナは、２組取り付けられており、２組の前記スライドファスナの前記スライダに取り付けられている前記連結手段は、前記スライダを下ろした状態において、作業員の足首の両側部に位置することを特徴とする脚絆機能付き作業ズボン。
【００１９】
（５）によれば、２つのスライダを下ろした場合に、連結手段を、作業員が履いている履き物（例えば、作業靴）に連結する以外でも、例えば、帯状部材の両端を保持させ、この帯状部材を作業者の足裏に掛けることによって、ズボンの裾口を絞った状態で維持することが可能になる。
【発明の効果】
【００２０】
本発明によれば、脚絆を装備しなくとも容易に作業ズボンを絞り、かつ絞った状態を維持することが可能になる。
【図面の簡単な説明】
【００２１】
【図１】本発明の第１実施形態における脚絆機能付き作業ズボンの構成を示す説明図である。
【図２】図２は、図１（ｂ）に示す状態における左足の裾口を上方視した場合の模式図である。
【図３】スライドファスナのスライダを下ろす様子を示す図である。
【図４】クリップ部材を靴に連結した状態を示す説明図である。
【図５】本発明の第２実施形態における脚絆機能付き作業ズボンの構成を示す説明図である。
【図６】図５（ｂ）に示す状態における左足の裾口を上方視した場合の模式図である。
【図７】本発明の第３実施形態における脚絆機能付き作業ズボンの構成を示す説明図である。
【発明を実施するための形態】
【００２２】
以下、本発明の実施形態について、図面を参照しながら詳細に説明する。
【００２３】
［第１実施形態］
図１は、本発明の第１実施形態における脚絆機能付き作業ズボンの構成を示す説明図であり、図１（ａ）は通常状態を示し、図１（ｂ）は脚絆機能を用いた状態を示すものである。図２は、図１（ｂ）に示す状態における左足の裾口を上方視した場合の模式図である。
【００２４】
図１に示すように、作業ズボン１の左右の裾部には、スライドファスナ１０が取り付けられている。なお、図１に示すように、作業ズボン１において、Ａ方向を上方向、Ｂ方向を下方向、Ｃ方向を左方向、Ｄ方向を右方向と称することにする。すなわち、以降の説明における方向は、作業者を基準とした方向とする。
【００２５】
スライドファスナ１０は、一対の務歯列１２ａ、１２ｂと、スライダ１４とを備えている。スライダ１４には、連結部材に相当するストラップ２０が取り付けられている。
【００２６】
一対の務歯列１２ａ、１２ｂは、作業ズボン１における膝部の下部でかつ膝部に近い部位を基点として左右に拡がるように取り付けられており、作業ズボン１の下部には、務歯列１２ａ、１２ｂによって囲まれた三角形領域が形成される。また、務歯列１２ａ、１２ｂの上端部には、スライダ１４が取り付けられており、このスライダ１４を下ろすことによって務歯列１２ａと務歯列１２ｂとが噛み合い連結される。そして、スライダ１４を務歯列１２ａ、１２ｂの下端まで下げることにより、務歯列１２ａと務歯列１２ｂの全体が連結され、スライドファスナ１０が閉じるとともに、作業ズボン１の裾口が絞り込まれる。逆に、務歯列１２ａ、１２ｂの下端に位置するスライダ１４を上げることによって連結が解除され、スライドファスナ１０が開かれる。この時、絞り込まれた作業ズボン１の裾口が広げられる。
【００２７】
ストラップ２０は、スライダ１４に一端部が連結する伸縮部材２２と、この伸縮部材２２の他端部に連結するクリップ部材２４とを備えている。伸縮部材２２としては、例えば、帯状あるいは棒状のゴムが適用可能である。クリップ部材２４は、挟持部に相当するものであり、２枚の板状部材の中央部同士を回動可能に連結し、２枚の板状部材の一端部を閉じることにより他端部が開かれ、一端部を開くことにより他端部が閉じられた状態となるように構成し、この他端部において所定部材に挟着する部材である。
【００２８】
また、図２に示すように、裾の裏側には、係合面部３０ａと被係合面部３０ｂとからなる保持手段に相当する面ファスナ３０が取り付けられている。係合面部３０ａと被係合面部３０ｂとは、務歯列１２ａ、１２ｂにおいて、脛の内側（土踏まず側）に近い務歯列に対して線対称の位置に配置されている。具体的に、図１（ａ）に示す作業ズボン１において、係合面部３０ａと被係合面部３０ｂは、務歯列１２ａを挟む位置に配置されている。
【００２９】
次に、裾口の絞り方について説明する。まず、図１（ａ）に示す状態において、務歯列１２ａ、１２ｂによって囲まれた三角形領域を織り込むことにより略三角形の折り畳み部１６（図１（ｂ）参照）を形成する。具体的に、折り畳み部１６は、務歯列１２ａ、１２ｂの上端、すなわち、三角形領域の頂点から、三角形領域の底辺の中央を結ぶラインを谷折りすることによって形成される。次に、折り畳み部１６を作業者の脛の前方に位置付け、図２に示すように、係合面部３０ａと被係合面部３０ｂとを連結して作業ズボン１の裏側に折り畳み部１６を保持させるとともに、務歯列１２ａと務歯列１２ｂとを対向させる。そして、図３に示すように、作業員が、務歯列１２ａ、１２ｂの上端部に位置するスライダ１４を、務歯列１２ａ、１２ｂの下端側に下ろすことによってスライドファスナ１０が閉じられる。
【００３０】
このとき、作業ズボン１の裾口は、裾口における務歯列１２ａの下端と務歯列１２ｂの下端とを結ぶラインの長さ分だけ絞られる。また、連結された務歯列１２ａ、１２ｂのラインは、作業者の脚の側方に位置する。すなわち右脚であれば右側に、左脚であれば左側に位置する。
【００３１】
さらに、作業者は、作業ズボン１の着用後に靴を履いた際に、スライダ１４とともに下ろされたストラップ２０のクリップ部材２４を、図４に示すように、靴の一部に挟着させ、スライダ１４と靴とをストラップ２０によって連結する。
【００３２】
以上、説明したように、第１実施形態によれば、スライドファスナ１０のスライダ１４を下ろすことによって作業ズボン１の裾口が絞り込まれるため、作業ズボン１の裾が乱れを抑えることが容易に可能となり、作業ズボン１に脚絆機能を持たせることが可能になる。さらに、スライダ１４がストラップ２０を介して作業員が履いている靴に連結することが可能であるため、スライダ１４が上方に移動して、スライドファスナ１０が開放することが防止できる。これにより、作業ズボン１の裾口を絞った状態で維持することが可能になる。
【００３３】
また、スライダ１４を下ろした際に、作業ズボン１の内側に形成された略三角形の折り畳み部１６が、作業員の脛の前に位置付けられるため、作業員の脛を保護することが可能になる。
【００３４】
また、ストラップ２０は、クリップ部材２４と伸縮部材２２とからなり、クリップ部材２４を靴の一部に挟み付ける。これにより、作業員が立ったりしゃがんだりした場合、作業員が履いている靴と作業ズボン１の裾との距離が変化するが、この距離の変化に応じて伸縮部材２２が伸縮することにより、クリップ部材２４が靴から外れることを低減することが可能になり、ストラップ２０による靴と裾との連結状態が維持される。
【００３５】
［第２実施形態］
図５は、本発明の第２実施形態における脚絆機能付き作業ズボンの構成を示す説明図であり、図５（ａ）は通常状態を示し、図５（ｂ）は脚絆機能を用いた状態を示すものである。図６は、図５（ｂ）に示す状態における左足の裾口を上方視した場合の模式図である。なお、図１、図２に示す第１実施形態における部材と同一の部材又は同一機能の部材には、同一の符号を付して、詳細な説明は省略する。
【００３６】
第１実施形態においては、連結された務歯列１２ａ、１２ｂのラインは、作業者の脚の側方に位置しているが、第２実施形態においては、作業者の脚の前方の中央部に位置している。具体的に、スライドファスナ１０を開放した場合には、図５（ａ）に示すように、作業ズボン１における左右の脚部の中心線（図中Ｐ、Ｑ参照）に対して、務歯列１２ａと務歯列１２ｂとが線対称になるように配置されている。このため、務歯列１２ａ、１２ｂによって囲まれた三角形領域も、作業ズボン１における左右の脚部の中心線に対して線対称である。また、スライドファスナ１０を開放した場合には、作業ズボン１における左右の脚部の中心線と、務歯列１２ａと務歯列１２ｂとを連結してなるラインが一致する。
【００３７】
また、作業ズボン１における裾口の裏側において、三角形領域の底辺の両端から、底辺を１／４に分割した分の距離だけ離れた地点に対して務歯列１２ａ及び務歯列１２ｂ寄りの部位に、係合面部３０ａが取り付けられている。また、務歯列１２ａ、１２ｂに対して係合面部３０ａの線対称位置に被係合面部３０ｂが取り付けられている。
【００３８】
そして、作業ズボン１の裾口を絞る際には、三角形領域の頂点と、三角形領域の底辺における、務歯列１２ａ、１２ｂの下端に対して三角形領域の底辺を１／４に分割した分の距離だけ離れた地点とを結ぶラインを谷折りすることによって、２つの折り畳み部１６を形成する。この２つの折り畳み部１６は、作業ズボン１における左右の脚部の中心線に対して線対称である。また、図６に示すように、２つの折り畳み部１６を作業ズボン１内側に折り曲げて係合面部３０ａと被係合面部３０ｂとを連結させ、務歯列１２ａと務歯列１２ｂとを対向させて、作業員が、務歯列１２ａ、１２ｂの上端部に位置するスライダ１４を、務歯列１２ａ、１２ｂの下端側に下ろすことによってスライドファスナ１０が閉じられる。これにより、作業ズボン１の裾口が絞られる。
【００３９】
さらに、作業者は、作業ズボン１の着用後に靴を履いた際に、スライダ１４とともに下ろされたストラップ２０のクリップ部材２４を、靴の一部、例えば、足の甲をカバーする部材の先端部に挟着させて、スライダ１４と靴とをストラップ２０によって連結する。
【００４０】
以上、説明したように、第２実施形態によれば、第１実施形態と同様の作用効果を奏するとともに、連結された務歯列１２ａ、１２ｂのラインが、作業者の脚の前方の中央部に位置するように、スライドファスナ１０が取り付けられている。このため、作業ズボン１の裾口を絞る作業が行いやすくなる。
【００４１】
［第３実施形態］
図７は、本発明の第３実施形態における脚絆機能付き作業ズボンの構成を示す説明図であり、図７（ａ）は通常状態を示し、図７（ｂ）は脚絆機能を用いた状態を示すものである。なお、図１、図２に示す第１実施形態における部材と同一の部材又は同一機能の部材には、同一の符号を付して、詳細な説明は省略する。
【００４２】
第１実施形態においては、作業ズボン１の裾口を絞るためのスライドファスナ１０が１つ取り付けられている。それに対し、第３実施形態においては、図７（ａ）に示すように、２つのスライドファスナ１０が、作業者の脚の左右に取り付けられている。
【００４３】
スライドファスナ１０の一対の務歯列１２ａ、１２ｂは、第１実施形態と同様に、作業ズボン１における膝部の下部を基点として左右に拡がるように取り付けられており、作業ズボン１の下部には、務歯列１２ａ、１２ｂによって囲まれた三角形領域が形成される。また、務歯列１２ａ、１２ｂの上端部には、スライダ１４が取り付けられており、このスライダ１４を下ろすことによって務歯列１２ａ、１２ｂが噛み合い連結される。そして、務歯列１２ａ、１２ｂの下端までスライダ１４を下ろし、務歯列１２ａ、１２ｂの全体を連結してスライドファスナ１０を閉じることにより、作業ズボン１の裾口が絞り込まれる。
【００４４】
スライダ１４にはストラップ２０が取り付けられており、スライダ１４を、務歯列１２ａ、１２ｂの下端まで下ろした場合に、図７（ｂ）に示すように、作業員の足首の両側部（左右）にストラップ２０が位置する。このため、左右のスライドファスナ１０の少なくともいずれかにおけるスライダ１４を下ろして作業ズボン１の裾口を絞り込んだ後に、第１実施形態と同様に、クリップ部材２４を作業員の靴の一部に連結することにより、スライダ１４が上方に移動してスライドファスナ１０が開くことが防止できる。
【００４５】
なお、２つのスライダ１４を下ろした場合には、２つのクリップ部材２４を作業員の靴の一部に連結してもよいが、それに限らず、図７（ｂ）に示すように、２つのクリップ部材２４と、例えば、布製の帯状部材４０の両端部とを連結し、帯状部材４０を作業員の足の裏に引っ掛けてもよい。これにより、スライダ１４が上方に移動してスライドファスナ１０が開くことが防止できる。
【００４６】
以上、説明したように、第３実施形態によれば、２つのスライドファスナ１０を備えているため、スライダ１４を下ろすスライドファスナの数によって、裾口の絞り量を調整することが可能になる。また、２つのスライダを下ろした場合には、２つのクリップ部材２４を作業員の靴の一部に連結すること以外でも、２つのクリップ部材２４と帯状部材４０の両端部とを連結し、帯状部材４０を作業員の足の裏に引っ掛けることによって、ズボンの裾口を絞った状態で維持することが可能になる。特に、作業員の靴に、クリップ部材２４を付けることが可能な部位が無い場合には、帯状部材４０を利用することによってズボンの裾口を絞った状態で維持することが可能になる。
【００４７】
以上、本発明の実施形態について説明したが、本発明は、前述した実施形態に限るものではない。例えば、前述した実施形態では、靴にクリップ部材２４を取り付けているが、靴に限らず、例えば、靴下であってもよく、クリップ部材２４を取り付けることができる履き物であればよい。
【００４８】
また、第３実施形態においては、２つのスライドファスナ１０を備えているが、それ以上のスライドファスナ１０を備えてもよい。この場合は、裾口の絞り量を、より作業員に合うように調整することができる。
【符号の説明】
【００４９】
１  作業ズボン
１０  スライドファスナ
１２ａ、１２ｂ  務歯列
１４  スライダ
１６  折り畳み部
２０  ストラップ
２２  伸縮部材
２４  クリップ部材
３０  面ファスナ
３０ａ  係合面部
３０ｂ  被係合面部
４０  帯状部材
【図１】
2012172290.tif 000003
【図２】
2012172290.tif 000004
【図３】
2012172290.tif 000005
【図４】
2012172290.tif 000006
【図５】
2012172290.tif 000007
【図６】
2012172290.tif 000008
【図７】
2012172290.tif 000009